(57)【要約】【課題】水密性を備えた情報伝達媒体を収容して表示する装置であって、仮に装置内に雨等の液体が浸入等したとしても、液体によって情報伝達媒体が濡れないか又は濡れにくいものを提供する。【解決手段】情報伝達媒体を収容して表示する装置は、取着又は設置手段を有し、防水性を有するものであって、箱状に形成され開口部を有する表示体と、該開口部を閉鎖する閉鎖体を備え、表示体と閉鎖体の取着部分が液体の浸入を防止する準防水構造であり、少なくとも表示体の表示面は、情報伝達媒体の情報を視認できる透明性を有しており、閉鎖体は、表示体と組み合わせた際に表示装置の内面側となる所要箇所に、表示体の表示面側に向けて突出しており、情報伝達媒体が閉鎖体と直接接触するのを防止している離隔体と、離隔体以外の所要箇所に設けられている排水溝と、が設けられている。【選択図】図７
2010156838.tif 000002
【特許請求の範囲】
【請求項１】
取着又は設置手段を有し、情報伝達媒体を収容して表示する防水性を有する表示装置であって、
該表示装置は、箱状に形成され開口部を有する表示体と、該開口部を閉鎖する閉鎖体を備え、表示体と閉鎖体の取着部分が液体の浸入を防止する準防水構造であり、
少なくとも表示体の表示面は、情報伝達媒体の情報を視認できる透明性を有しており、
閉鎖体は、表示体と組み合わせた際に表示装置の内面側となる所要箇所に、
表示体の表示面側に向けて突出しており、情報伝達媒体が閉鎖体と直接接触するのを防止している離隔体と、
離隔体以外の所要箇所に設けられている排水溝と、
が設けられている、
情報伝達媒体を収容して表示する装置。
【請求項２】
可撓性又は弾性を有するプラスチックシート又はフィルムを真空成型又は圧空成型して形成された、情報伝達媒体を収容し表示する装置(1A)であって、
該表示装置(1A)は、箱状に形成され背面側に開口部を有する表示体(120)と、表示体の開口部へ着脱するか又は該開口部を開閉する閉鎖体(100)と、を備え、表示装置の使用時に下方に位置する箇所には水抜き孔(125)または／および通気孔(126)が形成されており、
表示体(120)は、
情報伝達媒体の情報を視認できる透明性を有する表示部(121)と、
表示部の周縁から背面側に向かって延設された側壁(122)と、
側壁先端に形成されたフランジ状の周縁部(123)と、
を備えており、
閉鎖体(100)は、
表示体(120)側へ突出した複数の凸部であって、表示体の表示部(121)裏面との間に情報伝達媒体(P)を挟んで保持できる高さに形成された情報伝達媒体保持部(112)と、
情報伝達媒体保持部(112)の間または／および外縁に形成された複数の凹部であって、閉鎖体の補強及び浸入したか又は結露して生じた液体の排出誘導路を兼ねる、排水溝(114)と、
表示装置(1A)を設置箇所へ取り付けるために使用する取着手段を通す孔を形成する位置を示す、一又は複数の取付孔マーク(116)と、
閉鎖体(100)の所要箇所に設けられた一又は複数の磁性体(105)と、
表示体(120)に形成された周縁部(123)に対応する箇所に形成されたフランジ状の周縁部(103)と、
を備えており、
少なくとも、情報伝達媒体保持部(112)と排水溝(114)は、閉鎖体(100)と表示体(120)を組み合わせた際に表示装置(1A)の内面側となる箇所(110a)に設けられており、
表示体(120)及び閉鎖体(100)の各周縁部(103,123)には、一方に凹部、他方に凸部が長手方向の全長又はほぼ全長にわたって形成され、該凹凸部は撓んで嵌合し、嵌合後は外れにくく且つ該箇所が水密又はほぼ水密に保たれるよう形成された取着部(108,128)と、該取着部(108,128)と周縁部(103,123)先端の間に形成された液止め部(115)と、が設けられており、
表示体(120)及び閉鎖体(100)の各周縁部(103,123)には、取着時に孔の位置が合うようにした貫通孔(104,124)が形成されており、
前記取付孔マーク(116)は、表示装置の設置前は孔が形成されていないか、または、蓋或いは膜によって孔が水密に閉鎖されており、設置時において、必要とする箇所に孔を形成するか、または、孔を閉鎖する蓋或いは膜を破ることができるよう設けられている、
情報伝達媒体を収容して表示する装置。
【請求項３】
可撓性又は弾性を有するプラスチックシート又はフィルムを真空成型又は圧空成型して形成された情報伝達媒体を収容し表示する装置(1B)であって、
該表示装置(1B)は、平面視長方形であって、情報伝達媒体を縦方向又は横方向に表示することができるものであって、箱状に形成され背面側に開口部を有する表示体(120)と、表示体の開口部分へ着脱するか又は該開口部分を開閉する閉鎖体(101)と、を備え、表示装置の使用時に下方に位置する箇所には水抜き孔(129)または／および通気孔(126,129)が形成されており、
表示体(120)は、
情報伝達媒体の情報を視認できる透明性を有する表示部(121)と、
表示部の周縁から背面側に向かって延設された側壁(122)と、
側壁先端に形成されたフランジ状の周縁部(123)と、
を備えており、
閉鎖体(101)は、
表示体(120)側へ表示装置(1B)内に浸入したか又は結露により生じた液体によって情報伝達媒体(P)が濡れることがないように保持できる高さに突出した中空の凸部であって、該凸部は、背面側が開口していて奥側が広くて開口部近傍が狭い形状であり、該凸部の中空部分に刺した針状物を固定可能な部材(118)が嵌め込まれた、情報伝達媒体取着部(117)と、
表示体(120)側へ突出した複数の凸部であって、表示装置(1B)内に浸入した液体によって情報伝達媒体(P)が濡れることがないように保持できる高さに形成されているか、または、表示体の表示部(121)裏面との間に情報伝達媒体(P)を挟んで保持できる高さに形成された、情報伝達媒体保持部(112)と、
情報伝達媒体取着部(117)及び情報伝達媒体保持部(112)の間または／および外縁に形成された複数の凹部であって、閉鎖体の補強及び浸入したか又は結露して生じた液体の排出誘導路を兼ねる、排水溝(114)と、
表示装置(1B)を設置箇所へ取り付けるために使用する取着手段を通す孔を形成する位置を示す、一又は複数の取付孔マーク(116)と、
閉鎖体(101)の所要箇所に設けられた一又は複数の磁性体(105)と、
表示体(120)に形成された周縁部(123)に対応する箇所に形成されたフランジ状の周縁部(103)と、
を備えており、
少なくとも、情報伝達媒体保持部(112)と排水溝(114)と情報伝達媒体取着部(117)は、閉鎖体(101)と表示体(120)を組み合わせた際に表示装置(1B)の内面側となる箇所(110b)に設けられており、
表示体(120)及び閉鎖体(101)の各周縁部(103,123)には、一方に凹部、他方に凸部が長手方向の全長又はほぼ全長にわたって形成され、該凹凸部は撓んで嵌合し、嵌合後は外れにくく且つ該箇所が水密又はほぼ水密に保たれるよう形成された取着部(108,128)と、該取着部(108,128)と周縁部(103,123)先端の間に形成された液止め部(115)と、が設けられており、
表示体(120)及び閉鎖体(100)の各周縁部(103,123)には、取着時に孔の位置が合うようにした貫通孔(104,124)が形成されており、
前記取付孔マーク(116)は、表示装置の設置前は孔が形成されていないか、または、蓋或いは膜によって孔が水密に閉鎖されており、設置時において、必要とする箇所に孔を形成するか、または、孔を閉鎖する蓋或いは膜を破ることができるよう設けられており、
情報伝達媒体取着部(117)である凸部のうち、使用時に下方に位置する凸部基端側には下り傾斜が形成されている、
情報伝達媒体を収容して表示する装置。
【請求項４】
表示体(120)と閉鎖体(100,101)が蝶番又は帯状物(130)により開閉可能に繋がれているか、または、表示体(120)と閉鎖体(100,101)が一体成型され開閉可能に形成された、
請求項１乃至３記載のいずれかの情報伝達媒体を収容して表示する装置。
【請求項５】
可撓性又は弾性を有するプラスチックシート又はフィルムが、ポリエチレンテレフタラート、ポリエチレン、ポリプロピレン、ＡＢＳ樹脂、ポリカーボネートのいずれか又はこれらの組み合わせである、
請求項２乃至４記載のいずれかの情報伝達媒体を収容して表示する装置。
【発明の詳細な説明】
【技術分野】
【０００１】
本発明は、水密性を備えた情報伝達媒体を収容して表示する装置であって、仮に装置内に液体が浸入又は結露により生じたとしても、液体によって情報伝達媒体が濡れないか又は濡れにくいものに関する。
【背景技術】
【０００２】
屋外等で使用する情報伝達媒体を収容して表示する装置として、下記特許文献１のようなものが提案されている。特許文献１記載の装置は、透明度の高い合成樹脂板の全周に防水用ゴムパッキンを入れる凹状の溝を加工し、これにゴムパッキンを嵌めこみ他の同材質同形状の透明板を此れに重ね周囲を小螺子で固定したもの、また螺子で固定するまでに、表、裏両面に銘板の内容を印刷又はワープロで印字した用紙を２枚の透明板で挟み込むものである。
【０００３】
【特許文献１】実用新案登録第３００８８５１号
【発明の開示】
【発明が解決しようとする課題】
【０００４】
しかし、特許文献１の装置を屋外で使用した場合、毛細管現象によってゴムパッキンと溝の隙間から雨水等の液体が少しずつ浸入する場合がある。この場合、表示物が紙製の場合は表示物が水分でふやけて波打ったり、また、該水分が太陽熱により蒸発し、表示物と合成樹脂板の間に水滴が付着したり曇ってしまうという課題があった。
【０００５】
（発明の目的）
そこで、本発明の目的は、水密性を備えた情報伝達媒体を収容して表示する装置であって、仮に装置内に雨等の液体が浸入等したとしても、液体によって情報伝達媒体が濡れないか又は濡れにくいものを提供することにある。
【課題を解決するための手段】
【０００６】
上記目的を達成するために講じた本発明の手段は次のとおりである。
本発明は、取着又は設置手段を有し、情報伝達媒体を収容して表示する防水性を有する表示装置であって、該表示装置は、箱状に形成され開口部を有する表示体と、該開口部を閉鎖する閉鎖体を備え、表示体と閉鎖体の取着部分が液体の浸入を防止する準防水構造であり、少なくとも表示体の表示面は、情報伝達媒体の情報を視認できる透明性を有しており、閉鎖体は、表示体と組み合わせた際に表示装置の内面側となる所要箇所に、表示体の表示面側に向けて突出しており、情報伝達媒体が閉鎖体と直接接触するのを防止している離隔体と、離隔体以外の所要箇所に設けられている排水溝と、が設けられている、情報伝達媒体を収容して表示する装置である。
【０００７】
本発明は、可撓性又は弾性を有するプラスチックシート又はフィルムを真空成型又は圧空成型して形成された、情報伝達媒体を収容し表示する装置であって、該表示装置は、箱状に形成され背面側に開口部を有する表示体と、表示体の開口部へ着脱するか又は該開口部を開閉する閉鎖体と、を備え、表示装置の使用時に下方に位置する箇所には水抜き孔または／および通気孔が形成されており、表示体は、情報伝達媒体の情報を視認できる透明性を有する表示部と、表示部の周縁から背面側に向かって延設された側壁と、側壁先端に形成されたフランジ状の周縁部と、を備えており、閉鎖体は、表示体側へ突出した複数の凸部であって、表示体の表示部裏面との間に情報伝達媒体を挟んで保持できる高さに形成された情報伝達媒体保持部と、情報伝達媒体保持部の間または／および外縁に形成された複数の凹部であって、閉鎖体の補強及び浸入したか又は結露して生じた液体の排出誘導路を兼ねる、排水溝と、表示装置を設置箇所へ取り付けるために使用する取着手段を通す孔を形成する位置を示す、一又は複数の取付孔マークと、閉鎖体の所要箇所に設けられた一又は複数の磁性体と、表示体に形成された周縁部に対応する箇所に形成されたフランジ状の周縁部と、を備えており、少なくとも、情報伝達媒体保持部と排水溝は、閉鎖体と表示体を組み合わせた際に表示装置の内面側となる箇所に設けられており、表示体及び閉鎖体の各周縁部には、一方に凹部、他方に凸部が長手方向の全長又はほぼ全長にわたって形成され、該凹凸部は撓んで嵌合し、嵌合後は外れにくく且つ該箇所が水密又はほぼ水密に保たれるよう形成された取着部と、該取着部と周縁部先端の間に形成された液止め部と、が設けられており、表示体及び閉鎖体の各周縁部には、取着時に孔の位置が合うようにした貫通孔が形成されており、前記取付孔マークは、表示装置の設置前は孔が形成されていないか、または、蓋或いは膜によって孔が水密に閉鎖されており、設置時において、必要とする箇所に孔を形成するか、または、孔を閉鎖する蓋或いは膜を破ることができるよう設けられている、情報伝達媒体を収容して表示する装置である。
【０００８】
本発明は、可撓性又は弾性を有するプラスチックシート又はフィルムを真空成型又は圧空成型して形成された情報伝達媒体を収容し表示する装置であって、該表示装置は、平面視長方形であって、情報伝達媒体を縦方向又は横方向に表示することができるものであって、箱状に形成され背面側に開口部を有する表示体と、表示体の開口部分へ着脱するか又は該開口部分を開閉する閉鎖体と、を備え、表示装置の使用時に下方に位置する箇所には水抜き孔または／および通気孔が形成されており、表示体は、情報伝達媒体の情報を視認できる透明性を有する表示部と、表示部の周縁から背面側に向かって延設された側壁と、側壁先端に形成されたフランジ状の周縁部と、を備えており、閉鎖体は、表示体側へ表示装置内に浸入したか又は結露により生じた液体によって情報伝達媒体が濡れることがないように保持できる高さに突出した中空の凸部であって、該凸部は、背面側が開口していて奥側が広くて開口部近傍が狭い形状であり、該凸部の中空部分に刺した針状物を固定可能な部材が嵌め込まれた、情報伝達媒体取着部と、表示体側へ突出した複数の凸部であって、表示装置内に浸入した液体によって情報伝達媒体が濡れることがないように保持できる高さに形成されているか、または、表示体の表示部裏面との間に情報伝達媒体を挟んで保持できる高さに形成された、情報伝達媒体保持部と、情報伝達媒体取着部及び情報伝達媒体保持部の間または／および外縁に形成された複数の凹部であって、閉鎖体の補強及び浸入したか又は結露して生じた液体の排出誘導路を兼ねる、排水溝と、表示装置を設置箇所へ取り付けるために使用する取着手段を通す孔を形成する位置を示す、一又は複数の取付孔マークと、閉鎖体の所要箇所に設けられた一又は複数の磁性体と、表示体に形成された周縁部に対応する箇所に形成されたフランジ状の周縁部と、を備えており、少なくとも、情報伝達媒体保持部と排水溝と情報伝達媒体取着部は、閉鎖体と表示体を組み合わせた際に表示装置の内面側となる箇所に設けられており、表示体及び閉鎖体の各周縁部には、一方に凹部、他方に凸部が長手方向の全長又はほぼ全長にわたって形成され、該凹凸部は撓んで嵌合し、嵌合後は外れにくく且つ該箇所が水密又はほぼ水密に保たれるよう形成された取着部と、該取着部と周縁部先端の間に形成された液止め部と、が設けられており、表示体及び閉鎖体の各周縁部には、取着時に孔の位置が合うようにした貫通孔が形成されており、前記取付孔マークは、表示装置の設置前は孔が形成されていないか、または、蓋或いは膜によって孔が水密に閉鎖されており、設置時において、必要とする箇所に孔を形成するか、または、孔を閉鎖する蓋或いは膜を破ることができるよう設けられており、情報伝達媒体取着部である凸部のうち、使用時に下方に位置する凸部基端側には下り傾斜が形成されている、情報伝達媒体を収容して表示する装置である。
【０００９】
前記情報伝達媒体を収容して表示する装置は、表示体と閉鎖体が蝶番又は帯状物により開閉可能に繋がれているか、または、表示体と閉鎖体が一体成型され開閉可能に形成されたものであってもよい。
【００１０】
また、前記情報伝達媒体を収容して表示する装置のうち、可撓性又は弾性を有するプラスチックシート又はフィルムにより形成されるものは、プラスチックシート又はフィルムを形成する素材がポリエチレンテレフタラート（以下「ＰＥＴ」と称する）、ポリエチレン、ポリプロピレン、ＡＢＳ樹脂、ポリカーボネートのいずれか又はこれらの組み合わせであってもよい。
【００１１】
本明細書及び本願の特許請求の範囲にいう「準防水構造」とは、完全な防水構造とはいえないまでも、液体の浸入を防止するために設けられた構造を示す意味で使用している。
【００１２】
表示体の表示面は、無色透明のほかに、情報伝達媒体の情報を視認できる透明性を有していれば有色透明も含む。
【００１３】
情報伝達媒体は、例えば、紙又はビニルシート等の印刷物が挙げられるが、これに限定するものではなく、液晶パネル、または、有機或いは無機ELパネル等による薄手の表示装置を含む意味で使用している。
【００１４】
表示体または／および閉鎖体とは、表示体または閉鎖体のいずれか一方の場合もあるし、あるいは、表示体および閉鎖体の両方の場合もある、という意味で使用している。
【００１５】
水抜き孔または／および通気孔とは、水抜き孔または通気孔のいずれか一方の場合もあるし、あるいは、水抜き孔および通気孔の両方の場合もある、という意味で使用している。
【００１６】
情報伝達媒体を収容して表示する装置の取着又は設置手段としては、例えば、装置内に設けられた磁性体、が挙げられるが、これに限定するものではなく、設置箇所により適宜選択可能であって、例えば、取付孔マークに穿孔して形成された取付孔及び貫通孔のいずれか又は両方へ通す、釘、ボルトや木ネジ等の締結手段、紐状体、帯状体、チェーンであってもよいし、閉鎖体背面側等へ配置した粘着テープであってもよいし、閉鎖体背面側及び配置箇所へそれぞれ配置した面テープであってもよい。
【００１７】
高さまたは／および形状とは、高さまたは形状のいずれか一方の場合もあるし、あるいは、高さおよび形状の両方の場合もある、という意味で使用している。
【００１８】
情報伝達媒体保持部の間または／および外縁とは、情報伝達媒体保持部の間または情報伝達媒体保持部の外縁のいずれか一方の場合もあるし、あるいは、情報伝達媒体保持部の間および情報伝達媒体保持部の外縁の両方の場合もある、という意味で使用している。
同様に、情報伝達媒体取着部及び情報伝達媒体保持部の間または／および外縁とは、情報伝達媒体取着部及び情報伝達媒体保持部の間または情報伝達媒体取着部及び情報伝達媒体保持部の外縁のいずれか一方の場合もあるし、あるいは、情報伝達媒体取着部及び情報伝達媒体保持部の間および情報伝達媒体取着部及び情報伝達媒体保持部の外縁の両方の場合もある、という意味で使用している。
【００１９】
磁性体としては、例えば、磁石が挙げられるが、これに限定するものではなく、情報伝達媒体を収容して表示する装置の設置箇所に設けられた磁石へ吸引される金属等を含む意味で使用している。
【００２０】
（作  用）
情報伝達媒体を収容して表示する装置（以下「表示装置」と省略する。）の閉鎖体を外すか又は開いて、表示体の開口部を開け、当該開口部から中へ情報伝達媒体を入れる。このとき、情報伝達媒体は離隔体の上へ配置する。
表示体と閉鎖体を取着して開口部を閉じると、表示体の表示部を通じて装置内の情報伝達媒体が外部へ表示される。なお、表示体と閉鎖体の取着後は該取着部分が液体の浸入を防止する。
仮に、装置外から液体が浸入するか又は装置内で結露して液体が生じたとしても、情報伝達媒体は離隔体の上に配置されているので、閉鎖体を伝い流れてくる液体と情報伝達媒体は直接接触しない。
また、閉鎖体を伝い流れてくる液体は、閉鎖体に形成された排水溝により表示装置の下方へ誘導される。
表示装置は、取着又は設置手段により設置箇所へ設置される。
【００２１】
閉鎖体の情報伝達媒体保持部が、表示体の表示部裏面との間に情報伝達媒体を挟んで保持できる高さに形成されたものであれば、表示体と閉鎖体を取着して開口部分を閉じると、該情報伝達媒体保持部が情報伝達媒体の背面側を押圧し、情報伝達媒体を表示部へ押しつけるように挟むことにより情報伝達媒体が固定され、透明な表示部を通じて情報伝達媒体が表示される。
【００２２】
閉鎖体の情報伝達媒体取着部が設けられたものであれば、画鋲などの針状物により情報伝達媒体を情報伝達媒体取着部に固定し、表示体と閉鎖体を取着して開口部分を閉じる。すると、情報伝達媒体保持部が情報伝達媒体の背面側を押圧し、情報伝達媒体を表示部へ押しつけるように挟むことにより情報伝達媒体が固定され、透明な表示部を通じて情報伝達媒体が表示される。
【００２３】
表示体と閉鎖体の取着部分が、表示体及び閉鎖体の一方に凹部、他方に凸部が長手方向の全長又はほぼ全長にわたって形成され、該凹凸部が撓んで嵌合するものについては、嵌合後は外れにくく且つ該箇所が水密又はほぼ水密に保たれる。また、取着部と周縁部先端の間に形成された液止め部が設けられたものについては、周縁部先端側から浸入した液体を該部分で止める。
前記取着部及び液止め部が二重の防水要素として作用し、表示装置外部からの液体（例えば、屋外に設置した際に雨雪等）の浸入を防止する。
【００２４】
閉鎖体に水抜き孔が形成され、凸部の間または外縁、凸部の間および外縁に複数の排水溝が形成されたものであれば、浸入したか又は結露して生じた液体は、該排水溝によって水抜き孔に誘導され、装置外へ排出される。また、排水溝は、プラスチックシート又はフィルムにより形成されている閉鎖体を補強し、曲げ強度を向上させる。
【００２５】
情報伝達媒体を縦方向又は横方向に表示することができる表示装置の場合、情報伝達媒体取着部である凸部は、背面側が開口していて奥側が広くて開口部近傍が狭い形状になっているが、使用時に下方に位置する凸部基端側に下り傾斜が形成されているので、液体が閉鎖体を伝って凸部基端側の周辺に流れたとしても、液体は凸部先端側へ至らない。このため、情報伝達媒体が濡れることがないように保持できる。
【００２６】
設置箇所へ表示装置を設置する際に、閉鎖体に取付孔マークが設けられたものについては、取付孔マークのうち必要な箇所に孔を開け、該孔をネジ孔として釘或いはネジ等を通して設置箇所へ取り付けるための取付手段としてもよいし、該孔に紐やチェーンを通して設置箇所へ取り付けるための取付手段とすることもできる。
また、表示体及び閉鎖体の各周縁部に貫通孔が形成されたものは、貫通孔へ紐を通すか又は取り付けて設置箇所へ取り付けることもできるし、該貫通孔へ釘あるいはネジ等を通して設置箇所へ取り付けてもよい。
閉鎖体に磁性体に設けられている表示装置であれば、設置箇所が鉄板等の磁性体であったり、マグネットシール等の磁性体が配置されている場合は、表示体と閉鎖体を開口させた状態で表示装置を設置箇所に磁着させることもできるし、内部へ情報伝達媒体を収納して閉じた後（即ち、組み立てた状態）の表示装置を設置箇所に磁着させてもよい。
【００２７】
表示装置を屋外に設置した場合、太陽熱により表示装置内の空気の体積が膨張することがあるが、表示体または閉鎖体、表示体および閉鎖体に通気孔が形成されたものは、当該通気孔を通じて膨張した空気が排出されるので、膨張した空気によって表示体と閉鎖体が外れるトラブルが防止される。
【発明の効果】
【００２８】
本発明によれば、以下の効果を奏する。
（１）表示装置は、表示体と閉鎖体の取着部分又は取着部の構造から準防水性を備えており、仮に装置内に液体が浸入又は生じたとしても、装置内の情報伝達媒体は、浸入した液体が伝う主なルートと考えられる閉鎖体から持ち上げられているか又は保持されており、また、閉鎖体を伝い流れてくる液体は排水溝により表示装置の下方へ誘導されるか又は水抜き孔から排出されるので、液体によって情報伝達媒体が濡れないか又は濡れにくい。
【００２９】
（２）情報伝達媒体を差し替える作業が、情報伝達媒体を収容して表示する装置を開け、情報伝達媒体を入れて閉じるだけ、または、情報伝達媒体を収容して表示する装置を開け、情報伝達媒体を針状体により情報伝達媒体取着部に固定して閉じるだけ、であるため、情報伝達媒体の取り替えを簡単に行うことができる。
【００３０】
（３）表示装置に、取着又は設置手段、または、取着又は設置手段としての取付孔マーク、磁性体、貫通孔が設けられているため、磁性体を用いて直接、あるいは、形成された取付孔、貫通孔を通じて釘やネジ、紐等を用いて、表示装置を様々な場所に取り付けできる。
【００３１】
（４）表示装置を形成する可撓性又は弾性を有するプラスチックシート又はフィルムが、ＰＥＴ、ポリエチレン、ポリプロピレン、ＡＢＳ樹脂、ポリカーボネートのいずれか又はこれらの組み合わせであるものは、表示装置を廃棄する際にリサイクルすることができ、環境負荷が少ない。
【００３２】
（５）プラスチックシート又はフィルムを真空成型又は圧空成型して形成された表示装置にあっては、背面側が開口した箱状の表示体と、表示体側へ突出した複数の凸部である情報伝達媒体保持部又は情報伝達媒体取着部、前記凸部の間や外縁に形成された複数の溝状の凹部を備えた閉鎖体と、を組み合わせて使用しており、これら構成要素によって補強されて捻れ又は撓みに対する剛性が生じる。つまり、薄いプラスチックシート又はフィルムにより形成したとしても捻れ又は撓みに対する剛性を確保できるので、使用する材料を減量でき、省資源化に寄与する。
【発明を実施するための最良の形態】
【００３３】
〔第１実施形態〕
本発明の第１実施形態を図１〜図６に基づき更に詳細に説明する。
図１は表示装置１Ａの使用状態を示す正面図、図２は表示装置１Ａの閉鎖体の正面図、図３は表示装置１ＡのＡ−Ａ断面図、図４は表示装置１ＡのＢ−Ｂ断面図、図５は表示装置１Ａの角部の拡大図、図６は図５の拡大図におけるＣ−Ｃ断面図、である。
【００３４】
情報伝達媒体の表示装置１Ａは、透明なＰＥＴのシートを真空成型又は圧空成型したものであって、背面側が開口した箱状の表示体１２０と、表示体１２０側へ突出した複数の凸部が形成された板状の閉鎖体１００と、表示体１２０と閉鎖体１００を繋ぐ接続部１３０が一体に成型してある。
なお、本実施形態において表示する情報伝達媒体は、文字、図形、記号、絵、写真等が印刷された紙Ｐである。
表示装置１Ａの各構成要素について、以下で詳述する。
【００３５】
表示体１２０は、正面視横長の長方形であって、略平板状に形成された情報伝達媒体Ｐの表示部１２１と、表示部１２１周縁から紙Ｐの表示方向と反対側へ延設された側壁１２２と、側壁１２２先端を基端として表示部１２１と水平方向に延設されたフランジ状の表示体周縁部１２３を備えている（図１参照）。
【００３６】
表示部１２１の各周縁近傍には、紙Ｐの表示方向側へ突出した凸部１２７が形成されている（図３，４参照）。凸部１２７は、表示部１２１の各周縁の補強部であり、捻れや曲がりに対する剛性を高める目的で設けられている。
各側壁１２２の下部には、表示体１２０の内方に向かって円弧状に窪んだ形状の表示体取着部１２８が形成されている（図３，４参照）。
【００３７】
表示体周縁部１２３は、先端側が紙Ｐの表示方向と反対側へ折り曲げてある（図３，４参照）。
表示体周縁部１２３の各角部には、閉鎖体１００との取着時に、後述する貫通孔１０４と位置が合うように形成された、貫通孔１２４が形成されている（図２参照）。
表示体１２０の下側に位置する表示体周縁部１２３には、表示体１２０の内部と外部を連絡する、水抜き孔１２５が形成されている（図１参照）。
表示体１２０左右に位置する表示体周縁部１２３の下端近傍には、表示体１２０の内部と外部を連絡する、通気孔１２６が形成されている（図１参照）。
【００３８】
閉鎖体１００は、正面視横長の長方形の板状体であって、表示体１２０側へ突出した複数の凸部及び平坦部に形成された窪んだ複数の溝を備えた基体１１０ａと、その外周縁部に形成された閉鎖体周縁部１０３を備えている（図２参照）。
なお、基体１１０ａは、表示体１２０と組み合わせた際に表示装置１Ａの内面側となる部分（後述する保持部１１２、排水溝１１４、磁石１０５、取付孔マーク１１６が設けられている部分）である。
基体１１０ａには、表示体１２０側へ突出した複数の凸部である保持部１１２が設けられている。
各保持部１１２は、上部が平坦であって、正面視楕円形又は長円形に形成されており（図２〜図６参照）、上部が表示体１２０の表示部１２１の裏面に接する高さに形成されている（図３，４，６参照）。
【００３９】
基体１１０ａにおける表示体周縁部１２３に囲まれた内側の平坦部には、縦横方向に複数の排水溝１１４が形成されている。各排水溝１１４は、それぞれが交わる箇所（例えば、排水溝１１４が縦横に交差する箇所）において繋がっており、また、保持部１１２や後述する取付孔マーク１１６を迂回するように形成されている。
【００４０】
基体１１０ａの各角部近傍には、磁石１０５が設けられている。磁石１０５は、各角部近傍に設けられた凸面の一部を窪ませ、該窪みに嵌め込んである。なお、窪みの開口縁部には所要数の係止爪が形成され、嵌め込んだ磁石１０５は外れないようにしてある（図１，５，６参照）。
【００４１】
基体１１０ａの所要箇所には、基体１１０ａの平坦部から隆起し、隆起した周辺箇所よりも中心部が窪んだ形状である、複数の取付孔マーク１１６が形成されている。取付孔マーク１１６は、表示装置１Ａを設置箇所へ取り付けるために使用する取着手段（釘、木ネジ等の各種ネジ、取付紐等）を通す孔を形成する位置を示す目印である。
【００４２】
基体１１０ａと閉鎖体周縁部１０３の間には、内方に向かって円弧状に窪んだ形状の閉鎖取着部１０８が形成されている（図３，４，６参照）。
【００４３】
閉鎖体周縁部１０３は、先端側が紙Ｐの表示方向と反対側へ折り曲げてある（図３，４，６参照）。
閉鎖体周縁部１０３の各角部には、表示体１２０との取着時に、前述の貫通孔１２４と位置が合うように形成された、貫通孔１０４が形成されている（図２参照）。
【００４４】
閉鎖体周縁部１０３先端側の折り曲げ部分と閉鎖取着部１０８の間には、液止め部１１５が形成されている。液止め部１１５は、閉鎖体１００の背面方向に窪んだ溝であって、閉鎖取着部１０８に沿って閉鎖体１００の全周にわたって形成されている。
【００４５】
なお、本実施形態においては、保持部上部の形状は、正面視楕円形又は長円形に形成されているが、これに限定するものではなく、例えば円形、三角形、四角形その他多角形等の公知形状であってもよい。
【００４６】
本実施の形態においては、表示装置１Ａ及び後述する表示装置１Ｂは、ＰＥＴにより形成されるが、他の合成樹脂材（ポリエチレン、ポリプロピレン、ＡＢＳ樹脂、ポリカーボネート等）であってもよい。
また、表示装置１Ａ及び後述する表示装置１Ｂは、内部に結露が生じないような各種加工がされたもの又は結露防止素材で形成されたものであってもよい。
【００４７】
なお、本実施形態においては、基体に設けられた磁石は、各角部近傍に設けられた凸面の一部を窪ませ、該窪みに嵌め込んであるが、磁石の配置、数及び取着構造はこれに限定するものではなく、例えば、基体の背面側（即ち、表示装置の外側）の所要箇所に磁石を配置したり、一又は複数枚のマグネットシートを貼り付ける等してもよい。
【００４８】
〔作  用〕
図７は表示装置１Ａを開けた状態を示す斜視説明図である。図１〜７を参照して、表示装置１Ａの作用を説明する。
（１）表示体１２０の表示体取着部１２８を撓ませながら閉鎖体１００の閉鎖体取着部１０８から外し、表示装置１Ａを開く（図７参照）。
【００４９】
（２）表示装置１Ａを壁や柱、シャッター等の取付対象（以下「壁等」）へ取り付ける。
具体的には、壁等がスチール等を含む磁性体であれば、閉鎖体１００に設けられた磁石１０５を使用して、壁等へ取り付けることができる。
また、磁性体以外（例えば木材、石材、土材）の壁等であっても、マグネットシートや磁石、金属板等の磁性体を配置すれば、磁石１０５を使用した取付作業が可能となる。
【００５０】
壁等が木材等であれば、閉鎖体１００に設けられた取付孔マーク１１６に形成されたネジ孔、あるいは表示装置１Ａの四隅に形成されたネジ孔（貫通孔１０４と貫通孔１２４が重なった孔）を通じ、釘、木ネジ等の各種ネジ等の各種公知部材を使用して壁等へ取り付けることができる。また、壁等の構造や形状に応じて、ネジ孔に通したネジと取付ステーやナット等を組み合わせて利用する取付態様であってもよい。
また、前記ネジ孔に紐やチェーンを通し、例えば柱や取付フックを備えた壁等へ取り付けることもできる。
【００５１】
なお、取付孔マーク１１６の箇所には、当初（表示装置１Ａの設置作業前）は孔が形成されておらず、設置箇所の状況に応じて必要な箇所の取付孔マーク１１６を選択し、取付孔マーク１１６の中心の窪みに孔を開けて、使用する。取付孔マーク１１６に孔を形成する際には、釘、木ネジ等の各種ネジにより直接穿孔してもよいし、錐等の工具を使用して穿孔してもよい。
【００５２】
また、表示装置１Ａの設置作業については、閉鎖体１００の背面側に両面テープを貼り付け、壁等へ取り付けてもよいし、背面側及び壁等へ面ファスナーを貼り付けて取り付けてもよい。
【００５３】
（３）表示体１２０内に紙Ｐを入れ、表示部１２１裏面に紙Ｐは当接するよう配置し、表示体取着部１２８を撓ませながら閉鎖体取着部１０８へ取着し、閉鎖体周縁部１０３と表示体周縁部１２３を重ねるようにして表示装置１Ａを閉じる。なお、紙Ｐは、両面テープを使用して仮止めしてもよい。
このとき、閉鎖体１００に形成された保持部１１２が、紙Ｐの背面側を押圧し、紙Ｐを表示部１２１へ押しつけるように挟む。つまり、紙Ｐは、保持部１１２と表示部１２１裏面との間に挟まれて固定され、透明な表示部１２１を通じて紙Ｐに印刷等された情報が表示装置１Ａの正面側へ表示される。
【００５４】
（４）表示装置１Ａは、以下のようにして外部からの液体の浸入を防ぐ。
（ア）まず、閉鎖体１００と表示体１２０の周縁部１０３，１２３は互いに密接しており、且つ途中が折り曲げられているので、水等の液体が浸入しにくい。
（イ）仮に、毛細管現象等により、周縁部１０３，１２３先端から液体が浸入したとしても、該液体は、取着部１０８，１２８と周縁部１０３，１２３先端の間に形成された液止め部１１５へ一旦溜まり、表示装置１Ａ下方に流れ、水抜き孔１２５から排出される。
（ウ）更に、毛細管現象等により、液止め部１１５より先へ浸入しようとする液体については、嵌合後は外れにくく且つ該箇所を水密又はほぼ水密に密接した前記閉鎖体１００と表示体１２０の取着部１０８，１２８によって、これ以上の液体の浸入を防ぐ。
表示装置１Ａは、前記（ア）、（イ）、（ウ）で説明した取着部及び周縁部の各部によって、外部からの液体の浸入を防ぐか又は液体が浸入しにくい構造となっている。
【００５５】
（５）仮に、表示装置１Ａ外部から液体が浸入したか又は表示装置１Ａ内で結露して液体が生じた場合、該液体は、閉鎖体１００に形成された排水溝１１４によって表示装置１Ａ下方に設けられた水抜き孔１２５へ誘導され、表示装置１Ａへ排出される。また、前記排水溝１１４は、閉鎖体１００を補強し、曲げ強度を向上させる。
【００５６】
前記の通り、表示装置１Ａは、水密性を備えた構造であり、且つ、仮に装置内に雨等の液体が浸入等したとしても該液体は表示体１２０側へ流れずに閉鎖体１００に沿って流れ、閉鎖体１００に沿って流れた液体は排水溝１１４により誘導されて水抜き孔１２５から排出され、紙Ｐが表示体１２０側に配置されているので、液体によって紙Ｐが濡れないか又は濡れにくい。
【００５７】
（６）表示装置１Ａを屋外に設置した場合、太陽熱により表示装置１Ａ内の空気の体積が膨張することがあるが、通気孔１２６を通じて膨張した空気が排出されるので、膨張した空気によって表示体１２０と閉鎖体１００が外れるトラブルが防止される。
【００５８】
（７）なお、本実施形態においては、情報伝達媒体として紙Ｐを使用しており、紙Ｐへの印刷は家庭用又は事業所にあるプリンタですぐに行うことができて特殊な加工（例えばラミネート加工等）が不要であるため、内容の差し替えがすぐにでき、かつ、安価で済む。また、特殊な加工をしていない紙であれば、古紙としてリサイクル可能であるため、環境負荷も少ない。
【００５９】
〔第２実施形態〕
本発明の第２実施形態を図８〜１３に基づき更に詳細に説明する。
図８は表示装置１Ｂの使用状態を示す正面図、図９は表示装置１Ｂの閉鎖体の正面図、図１０は表示装置１ＢのＡ−Ａ断面図、図１１は表示装置１ＢのＢ−Ｂ断面図、図１２は表示装置１Ｂの角部の拡大図、図１３は図１１の拡大図におけるＣ−Ｃ断面図、である。
なお、第１実施形態に係る表示装置１Ａの説明と重複する記載については、詳細な説明を省略する。また、第１実施形態に係る表示装置１Ａと同等の構造の部分については同じ番号を付する。
【００６０】
情報伝達媒体の表示装置１Ｂは、背面側が開口した箱状の表示体１２０と、表示体１２０側へ突出した複数の凸部が形成された板状の閉鎖体１０１と、表示体１２０と閉鎖体１０１を繋ぐ接続部１３０が一体に成型してある。
なお、表示装置１Ｂは、紙Ｐ等の情報伝達媒体を縦方向（図９に示す表示装置１Ｂの右縁を上に位置させる状態）又は横方向（図９に示す状態）に表示することができるものである。
表示装置１Ａと相違する表示装置１Ｂの各構成要素について、以下で詳述する。
【００６１】
表示体１２０左右に位置する表示体周縁部１２３の下端近傍には、表示体１２０の内部と外部を連絡する、通気孔１２６及び水抜き孔兼通気孔１２９が形成されている（図８参照）。
水抜き孔兼通気孔１２９は、表示装置１Ｂを使用する方向（縦又は横）によって、通気孔にもなるし、水抜き孔にもなる。
【００６２】
閉鎖体１０１の基体１１０ｂに設けられた各保持部１１２は、上部が平坦であって、正面視略長方形又は長円形に形成されており（図９，１２参照）、上部が表示体１２０の表示部１２１の裏面との間に少し隙間が空く程度の高さ（後述するピン係止部１１７と同じ高さ）に形成されている（図１０，１１参照）。
【００６３】
基体１１０ｂの３つの角部及び接続部１３０が設けられた縁部側の中央近傍に、正面視略正方形のピン係止部１１７が形成されている（図９，１２参照）。
各ピン係止部１１７は、浸入又は生じた液体によって紙Ｐが濡れることがないように保持できる高さに突出しており、背面側が開口し、空間奥が広く、開口部近傍が狭い中空の構造であって、該中空の空間内にピン係留部材１１８を備え、ピン係止部１１７に刺した係止ピン１１９が抜けにくい構造になっている（図１３参照）。
【００６４】
各ピン係止部１１７の基部の周囲には、ピン係止部排水溝１１７ａが設けられている。ピン係止部排水溝１１７ａのうち、使用時に下方に位置する箇所には、上方から下方に向けて裾広がりとなった傾斜である、逆流防止部１１７ｂが形成されている（図１３参照）。なお、図１２では逆流防止部１１７ｂはピン係止部１１７の右と下の角部に示されている。
ピン係止部排水溝１１７ａは、後述するピン係止部１１７周辺の排水溝１１４よりも溝の深さが深く形成されており、ピン係止部排水溝１１７ａとピン係止部１１７周辺の排水溝１１４の間の平坦部が基体１１０ｂの他の平坦部よりも低く設けてある（図１３参照）。
【００６５】
基体１１０ｂの平坦部及びその外縁には、縦横方向に複数の排水溝１１４が形成されている。
排水溝１１４は、大きく分けて、（ア）基体１１０ｂの外縁に沿って形成されているもの、（イ）外縁側の排水溝１１４の内側の平坦部に縦横に形成されているもの、がある。
前記説明（ア）の排水溝１１４のうち、使用状態によって上方に位置する辺（接続部１３０が設けられている辺及び図９において右側に位置する辺）に設けられた溝は、表示装置１Ｂ外方に向かって突出した３つの頂点を有する山型又は略山型であって、裾方向に向かって勾配が付けられており、最も低くくなった位置において縦方向に形成された溝と繋がっている。
また、前記説明（ア）の排水溝１１４のうち、ピン係止部１１７周辺に形成されたものは、ピン係止部１１７を迂回するように基体１１０ｂの内側へ曲げて形成されている（図９，１２参照）。
前記説明（ア）と（イ）の排水溝１１４は、それぞれが交わる箇所（例えば、（イ）の排水溝１１４の端部が（ア）の排水溝１１４に突き当たる箇所、（イ）の排水溝１１４が縦横に交差する箇所）において繋がっている。
【００６６】
ピン係留部材１１８としては、軽量且つ安価な発泡スチロールが好適に使用されるが、これに限定するものではなく、他の発泡体や、コルク、ゴム等、刺し込まれた針を係留可能な素材であれば特に限定されない。
【００６７】
係止ピン１１９としては、市販の画鋲を使用することもできるし、画鋲以外の公知の針状体を有する部材を使用することもできる。
【００６８】
なお、基体１１０ｂは、表示体１２０と組み合わせた際に表示装置１Ｂの内面側となる部分（保持部１１２、排水溝１１４、磁石１０５、取付孔マーク１１６、ピン係止部１１７が設けられている部分）である。
【００６９】
〔作  用〕
図８〜１３を参照して、表示装置１Ｂの作用を説明する。なお、第１実施形態に係る表示装置１Ａの説明と重複する記載については、詳細な説明を省略する。
【００７０】
（１）表示体１２０の表示体取着部１２８を撓ませながら閉鎖体１０１の閉鎖体取着部１０８から外し、表示装置１Ｂを開く（図７参照）。
【００７１】
（２）表示装置１Ｂを、表示装置１Ａと同様の方法で壁や柱等の取付対象（以下「壁等」）へ取り付ける。
【００７２】
（３）閉鎖体１０１の基体１１０ｂ上に紙Ｐを当て、ピン係止部１１７の箇所で、係止ピン１１９を該紙Ｐ及びピン係止部１１７天部に刺し、ピン係留部材１１８まで貫通させる。すると、紙Ｐは、該ピン係止部１１７に固定される。その後、表示体１２０と閉鎖体１０１を取着し、表示装置１Ｂを閉じる。
このとき、紙Ｐは、透明な表示部１２１を通じて紙Ｐに印刷等された情報が表示装置１Ｂの正面側へ表示される。
なお、ピン係留部材１１８は、刺し込まれた係止ピン１１９の先端が突き抜けることを防止して、作業時又は使用中の怪我の発生を予防する。
【００７３】
（４）表示装置１Ａの場合と同様に、表示装置１Ｂも、閉鎖体１０１と表示体１２０の取着後は両部材が外れにくく且つ水密又はほぼ水密に保たれる。このため、表示装置１Ｂも、外部からの液体の浸入を防止できるか又は液体が浸入しにくい。
【００７４】
仮に、表示装置１Ｂ内に液体が浸入したとしても、当該液体は、まず、基体１１０ｂの外縁に形成された縦横方向の排水溝１１４により水抜き孔兼通気孔１２９に誘導され、装置外部へ排出される。
【００７５】
なお、使用状態によって上方に位置している辺（接続部１３０が設けられている辺及び図９において右側に位置する辺）の部分から液体が浸入すると、当該浸入部分の排水溝１１４には勾配が付いているため、排水溝１１４に浸入した液体は、排水溝１１４の形状（山型又は略山型であって裾方向に向かい下り傾斜している）に従って低い方向へ流れ、縦方向に形成された排水溝１１４により誘導されたのちに、水抜き孔兼通気孔１２９を通じて装置外部へ排出される。
同様に、表示装置１Ｂ内に結露により液体が生じたとしても、生じた液体は、基体１１０ｂに設けられた排水溝１１４を通じて水抜き孔兼通気孔１２９から装置外部へ排出される。
【００７６】
また、排水溝１１４は、閉鎖体１０１を補強し、曲げ強度を向上させる。
【００７７】
（５）前記の通り表示装置１Ｂは水密性を備えた構造であり、且つ、仮に装置内に雨等の液体が浸入等したとしても該液体は表示体１２０側へ流れずに閉鎖体１０１に沿って流れ、閉鎖体１０１に沿って流れた液体は排水溝１１４により誘導されて水抜き孔１２５又は水抜き孔兼通気孔１２９から排出され、更に紙Ｐは表示体１２０側に配置されているので、液体によって紙Ｐが濡れないか又は濡れにくい。
【００７８】
（６）加えて、表示装置１Ｂは、浸入してきた液体が閉鎖体１０１を伝ってピン係止部排水溝１１７ａに流入した場合、通常であればピン係止部排水溝１１７ａに流入し逆流防止部１１７ｂによって流れの方向が変えられた液体はピン係止部１１７周辺の排水溝１１４へ向かうが、表示装置１Ｂはピン係止部排水溝１１７ａとピン係止部１１７周辺の排水溝１１４の間の平坦部は基体１１０ｂの他の平坦部よりも低く設けてあるので（図１３参照）、ピン係止部排水溝１１７ａから溢れた液体が排水溝１１４へ誘導されやすい。排水溝１１４へ誘導された液体はそのまま下方に流れ、表示装置１Ｂ下方に設けられた水抜き孔兼通気孔１２９から排出されから排出される。
このため、ピン係止部排水溝１１７ａに形成された逆流防止部１１７ｂによって、その液体がピン係止部１１７の下側の側壁を伝ってピン係止部１１７天部（先端側）へ至り、情報伝達媒体（紙Ｐ）が濡れることを防止する。
【００７９】
なお、逆流防止部１１７ｂは、使用時に下方に位置する箇所（即ち、図１２におけるピン係止部１１７の右と下の角部）に設けられているので、表示装置１Ｂの使用方向を縦方向又は横方向のいずれとした場合であっても、前記効果を奏することできる。
【００８０】
（７）表示装置１Ｂを屋外に設置した場合、太陽熱により表示装置１Ｂ内の空気の体積が膨張することがあるが、通気孔１２６又は水抜き孔兼通気孔１２９を通じて膨張した空気が排出されるので、膨張した空気によって表示体１２０と閉鎖体１０１が外れるトラブルが防止される。
【００８１】
第１、第２実施形態における表示装置１Ａ，１Ｂは、磁石等を取り外せば、形成する主な素材がＰＥＴであるので、廃棄する際にリサイクルすることができ、環境負荷が少ない。
【００８２】
また、第１、第２実施形態における表示装置１Ａ，１Ｂは、プラスチックシート又はフィルムを真空成型又は圧空成型し、箱状の表示体１２０と、表示体側へ突出した複数の凸部である保持部１１２又はピン係止部１１７、前記凸部の間や外縁に形成された複数の溝状の凹部である排水溝１１４を備えた閉鎖体１００，１０１と、を組み合わせて使用しており、これら構成要素によって補強されて捻れ又は撓みに対する剛性が生じる。つまり、薄いプラスチックシート又はフィルムにより形成したとしても捻れ又は撓みに対する剛性を確保できるので、使用する材料を減量でき、省資源化に寄与する。
【００８３】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００８４】
【図１】表示装置１Ａの使用状態を示す正面図。
【図２】表示装置１Ａの閉鎖体の正面図。
【図３】表示装置１ＡのＡ−Ａ断面図。
【図４】表示装置１ＡのＢ−Ｂ断面図。
【図５】表示装置１Ａの角部の拡大図。
【図６】図５の拡大図におけるＣ−Ｃ断面図。
【図７】表示装置１Ａを開けた状態を示す斜視説明図。
【図８】表示装置１Ｂの使用状態を示す正面図。
【図９】表示装置１Ｂの閉鎖体の正面図。
【図１０】表示装置１ＢのＡ−Ａ断面図。
【図１１】表示装置１ＢのＢ−Ｂ断面図。
【図１２】表示装置１Ｂの角部の拡大図。
【図１３】図１１の拡大図におけるＣ−Ｃ断面図
【符号の説明】
【００８５】
１Ａ，１Ｂ    表示装置
１００，１０１    閉鎖体
１０３    閉鎖体周縁部
１０４    貫通孔
１０５    磁石
１０８    閉鎖体取着部
１１０ａ，１１０ｂ    基体
１１２    保持部
１１４    排水溝
１１５    液止め部
１１６    取付孔マーク
１１７    ピン係止部
１１７ａ    ピン係止部排水溝
１１７ｂ    逆流防止部
１１８    ピン係留部材
１１９    係止ピン
１２０    表示体
１２１    表示部
１２２    側壁
１２３    表示体周縁部
１２４    貫通孔
１２５    水抜き孔
１２６    通気孔
１２７    凸部
１２８    表示体取着部
１２９    水抜き孔兼通気孔
１３０    接続部
Ｐ    紙
【図１】
2010156838.tif 000003
【図２】
2010156838.tif 000004
【図３】
2010156838.tif 000005
【図４】
2010156838.tif 000006
【図５】
2010156838.tif 000007
【図６】
2010156838.tif 000008
【図７】
2010156838.tif 000009
【図８】
2010156838.tif 000010
【図９】
2010156838.tif 000011
【図１０】
2010156838.tif 000012
【図１１】
2010156838.tif 000013
【図１２】
2010156838.tif 000014
【図１３】
2010156838.tif 000015